(57)【特許請求の範囲】
【請求項１】
車載機器とアプリケーションを備えた携帯端末とが通信可能に接続されてなる車載機器システムであって、
前記携帯端末は、実行されたアプリケーションが終了した際に、所定情報を記憶部に記憶させる所定情報記憶制御手段を有し、
前記車載機器は、前記携帯端末と接続されたときに、前記記憶部に前記所定情報が記憶されているか否かを判定する判定手段と、
前記判定手段によって前記記憶部に前記所定情報が記憶されていると判定されたときに、前記所定情報に係る前記アプリケーションの動作要求を前記携帯端末に送るアプリ動作要求手段とを有し、
前記携帯端末は、前記車載機器からの前記動作要求を受けたときに、該動作要求に係るアプリケーションを動作させるようにし、
更に、前記車載機器は、当該車載機器からの前記動作要求に従って前記携帯端末にて前記アプリケーションが動作される際に、該アプリケーションの動作により得られた情報を取得して処理する処理手段と、前記携帯端末での前記アプリケーションの動作に基づいた前記処理手段による処理が終了したときに、前記所定情報の削除要求を前記携帯端末に送る所定情報削除要求手段とを有する車載機器システム。
【請求項２】
前記所定情報記憶手段は、前記アプリケーションの動作によって得られた情報が所定の条件を満たしているときに、前記所定情報を前記記憶部に記憶させる請求項１記載の車載機器システム。
【請求項３】
前記携帯端末は、前記アプリケーションが終了した際に、前記所定情報を前記記憶部に記憶させるか否かの選択をさせる携帯端末側ユーザインターフェイス手段を有し、
前記所定情報記憶制御手段は、前記携帯端末側ユーザインターフェイス手段によって前記所定情報を前記記憶部に記憶させることが選択されたときに、前記所定情報を前記記憶部に記憶させる請求項１記載の車載機器システム。
【請求項４】
前記車載機器は、前記判定手段によって前記記憶部に前記所定情報が記憶されていると判定されたときに、前記携帯端末において該所定情報に係るアプリケーションを動作させるべきか否かの選択をさせる車載機器側ユーザインターフェイス手段を有し、
前記車載機器側ユーザインターフェイス手段によって前記所定情報に係るアプリケーションを動作させるべきことが選択されたときに、前記アプリ動作要求手段は、前記アプリケーションの動作要求を前記携帯端末に送る請求項１乃至３のいずれかに記載の車載機器システム。
【請求項５】
アプリケーションを備えた携帯端末と通信可能に接続される車載機器であって、
前記携帯端末と接続されたときに、当該携帯端末にて実行されたアプリケーションが終了した際に記憶されるべき所定情報が前記携帯端末の記憶部に記憶されているか否かを判定する判定手段と、
前記判定手段によって前記記憶部に前記所定情報が記憶されていると判定されたときに、前記所定情報に係る前記アプリケーションの動作要求を前記携帯端末に送るアプリ動作要求手段と、
前記車載機器からの前記動作要求に従って前記携帯端末にて前記アプリケーションが動作される際に、該アプリケーションの動作により得られた情報を取得して処理する処理手段と、
前記携帯端末での前記アプリケーションの動作に基づいた前記処理手段による処理が終了したときに、前記所定情報の削除要求を前記携帯端末に送る所定情報削除要求手段とを有する車載機器。
【請求項６】
アプリケーションを備え、車載機器と通信可能に接続される携帯端末であって、
実行されたアプリケーションが終了した際に、所定情報を記憶部に記憶させる所定情報記憶制御手段と、
前記記憶部に記憶された前記所定情報に係るアプリケーションの動作要求を前記車載機器から受けたときに、当該アプリケーションを動作させるアプリ動作制御手段と、
前記アプリケーションの動作に基づいた前記車載機器の処理手段による処理が終了したときに、前記所定情報の削除要求を前記車載機器から送られた際に、前記所定情報の削除を行う手段を有する携帯端末。
【発明の詳細な説明】
【技術分野】
【０００１】
本発明は、ＡＶ・ナビゲーション機器等の車載機器とスマートフォン等の携帯端末とが接続された構成となる車載機器システムと、その車載機器システムを構成する当該車載機器及び携帯端末に関する。
【背景技術】
【０００２】
従来、特許文献１記載のナビゲーション機能付き携帯端末装置及びプログラムが提案されている（特許文献１参照）。このようなナビゲーション機能付き携帯端末装置及びプログラムによれば、該携帯端末装置が車室内に持ち込まれたか否かを判定し、車室内に持ち込まれたと判定されたときに、メニュー選択操作などの特別な操作を行うことなく、車両用ナビゲーション機能を選択的に起動できるようになっている。
【先行技術文献】
【特許文献】
【０００３】
【特許文献１】特開２００７−１６３３８６号公報
【発明の概要】
【発明が解決しようとする課題】
【０００４】
ところで、特許文献１記載のナビゲーション機能付き携帯端末装置（携帯端末）にナビゲーション機能（ナビゲーションアプリケーション）以外のアプリケーション（例えば、音楽再生アプリケーション）を設けることが考えられる。このように他のアプリケーションを備えた携帯端末においても、該携帯端末が車両内に持ち込まれたと判定されたときに、ナビゲーション機能を選択的に起動させるので、メニュー操作などの特定なキー操作を行うことなく該携帯端末装置のナビゲーション機能を起動させることができる。このようにすることで、乗員の負担を軽減できるようになっている。
【０００５】
しかしながら、特許文献１記載のナビゲーション機能付き携帯端末装置（携帯端末）では、乗員が車両内に該携帯端末を持ち込んだことが検出されると、ユーザがナビゲーション機能を必要としない状況においても自動的にナビゲーション機能が起動されてしまう。また、ナビゲーションアプリケーション以外のアプリケーション（例えば、音楽再生アプリケーション等）の利用を望んでいたとしても、自動的にナビゲーション機能が起動されてしまうので、ユーザの要望に沿った機能（アプリケーション）を利用することができない。
【０００６】
本発明は、このような事情に鑑みてなされたもので、車載機器と携帯端末とが接続されたときに、より簡単な操作でユーザの要望に沿ったアプリケーションを携帯端末において実行することが可能な車載機器システムを提供するものである。
【課題を解決するための手段】
【０００７】
本発明に係る車載機器システムは、車載機器とアプリケーションを備えた携帯端末とが通信可能に接続されてなる車載機器システムであって、前記携帯端末は、実行されたアプリケーションが終了した際に、所定情報を記憶部に記憶させる所定情報記憶制御手段を有し、前記車載機器は、前記携帯端末と接続されたときに、前記記憶部に前記所定情報が記憶されているか否かを判定する判定手段と、前記判定手段によって前記記憶部に前記所定情報が記憶されていると判定されたときに、前記所定情報に係る前記アプリケーションの動作要求を前記携帯端末に送るアプリ動作要求手段とを有し、前記携帯端末は、前記車載機器からの前記動作要求を受けたときに、該動作要求に係るアプリケーションを動作させるようにし、更に、前記車載機器は、当該車載機器からの前記動作要求に従って前記携帯端末にて前記アプリケーションが動作される際に、該アプリケーションの動作により得られた情報を取得して処理する処理手段と、前記携帯端末での前記アプリケーションの動作に基づいた前記処理手段による処理が終了したときに、前記所定情報の削除要求を前記携帯端末に送る所定情報削除要求手段とを有する構成となる。
【０００８】
このような構成によれば、車載機器に携帯端末が接続されると、車載機器が該携帯端末にて実行されたアプリケーションが終了した際に記憶部に記憶された所定情報があるか否かを判定し、該携帯端末の記憶部に所定情報が記憶されているときに、所定情報に係るアプリケーションを動作させる動作要求を携帯端末に送るので、ユーザが携帯端末を操作することなく、所定情報に係るアプリケーションを動作させることが可能となる。
そして、車載機器からの動作要求に従って携帯端末にてアプリケーションが動作される際に、車載機器の処理手段が該アプリケーションの動作により得られた情報を取得して処理することで、携帯端末のアプリケーションと車載機器とが協働するようになる。これによって、車載機器においても携帯端末におけるアプリケーションの動作に係る処理を行うことができるようになる。
また、携帯端末にて動作されるアプリケーションとの協働処理が車載機器において終了したときに、携帯端末に対して所定情報の削除要求を送るので、再度、携帯端末が車載機器に接続された際に該所定情報に係るアプリケーションを動作させることを防ぐことが可能となる。
【０００９】
本発明に係る車載機器システムにおいて、前記所定情報記憶手段は、前記アプリケーションの動作によって得られた情報が所定の条件を満たしているときに、前記所定情報を前記記憶部に記憶させる構成とすることができる。
【００１０】
このような構成によれば、携帯端末において動作されたアプリケーションの動作によって得られた情報が所定の条件を満たしているときに、所定情報を記憶部に記憶させるので、アプリケーションによって得られた情報が所定の条件を満たしていないときに、該アプリケーションが自動的に動作させるのを防ぐことが可能となる。
【００１１】
本発明に係る車載機器システムにおいて、前記携帯端末は、前記アプリケーションが終了した際に、前記所定情報を前記記憶部に記憶させるか否かの選択をさせる携帯端末側ユーザインターフェイス手段を有し、前記所定情報記憶制御手段は、前記携帯端末側ユーザインターフェイス手段によって前記所定情報を前記記憶部に記憶させることが選択されたときに、前記所定情報を前記記憶部に記憶させる構成とすることができる。
【００１２】
このような構成によれば、アプリケーションの処理が終了した際に、所定情報を記憶部に記憶させるか否かの選択をさせる携帯端末側ユーザインターフェイス手段によって、所定情報を記憶させることが選択されたときに、該所定情報を記憶部に記憶させるので、携帯端末が車載機器に接続された際に、ユーザの望まないアプリケーションを動作させるのを防ぐことが可能となる。
【００１３】
本発明に係る車載機器システムにおいて、前記車載機器は、前記判定手段によって前記記憶部に前記所定情報が記憶されていると判定されたときに、前記携帯端末において該所定情報に係るアプリケーションを動作させるべきか否かの選択をさせる車載機器側ユーザインターフェイス手段を有し、前記車載機器側ユーザインターフェイス手段によって前記所定情報に係るアプリケーションを動作させるべきことが選択されたときに、前記アプリ動作要求手段は、前記アプリケーションの動作要求を前記携帯端末に送る構成とすることができる。
【００１４】
このような構成によれば、携帯端末の記憶部に所定情報が記憶されているときに、車載機器において所定情報に係るアプリケーションを動作させるべきか否かの選択をさせるので、よりユーザの要望に沿ったアプリケーションを簡単な操作で動作させることができるようになる。
【００１９】
本発明に係る車載機器は、アプリケーションを備えた携帯端末と通信可能に接続される車載機器であって、前記携帯端末と接続されたときに、当該携帯端末にて実行されたアプリケーションが終了した際に記憶されるべき所定情報が前記携帯端末の記憶部に記憶されているか否かを判定する判定手段と、前記判定手段によって前記記憶部に前記所定情報が記憶されていると判定されたときに、前記所定情報に係る前記アプリケーションの動作要求を前記携帯端末に送るアプリ動作要求手段と、前記車載機器からの前記動作要求に従って前記携帯端末にて前記アプリケーションが動作される際に、該アプリケーションの動作により得られた情報を取得して処理する処理手段と、前記携帯端末での前記アプリケーションの動作に基づいた前記処理手段による処理が終了したときに、前記所定情報の削除要求を前記携帯端末に送る所定情報削除要求手段とを有する構成となる。
【００２０】
このような構成によれば、携帯端末が接続されると、該携帯端末にて実行されたアプリケーションが終了した際に記憶されるべき所定情報が記憶手段に記憶されているか否かを判定し、該記憶手段に所定情報が記憶されているときに、所定情報に係るアプリケーションの動作要求を携帯端末に送るので、ユーザが携帯端末を操作することなく、所定情報に係るアプリケーションを動作させることが可能となる。
そして、車載機器からの動作要求に従って携帯端末にてアプリケーションが動作される際に、車載機器の処理手段が該アプリケーションの動作により得られた情報を取得して処理することで、携帯端末のアプリケーションと車載機器とが協働するようになる。これによって、車載機器においても携帯端末におけるアプリケーションの動作に係る処理を行うことができるようになる。
また、携帯端末にて動作されるアプリケーションとの協働処理が車載機器において終了したときに、携帯端末に対して所定情報の削除要求を送るので、再度、携帯端末が車載機器に接続された際に該所定情報に係るアプリケーションを動作させることを防ぐことが可能となる。
【００２３】
本発明に係る携帯端末は、アプリケーションを備え、車載機器と通信可能に接続される携帯端末であって、実行されたアプリケーションが終了した際に、所定情報を記憶部に記憶させる所定情報記憶制御手段と、前記記憶部に記憶された前記所定情報に係るアプリケーションの動作要求を前記車載機器から受けたときに、当該アプリケーションを動作させるアプリ動作制御手段と、前記アプリケーションの動作に基づいた前記車載機器の処理手段による処理が終了したときに、前記所定情報の削除要求を前記車載機器から送られた際に、前記所定情報の削除を行う手段を有する構成となる。
【００２４】
このような構成によれば、車載機器に接続されると、実行されたアプリケーションが終了した際に記憶手段に記憶された所定情報を記憶し、記憶手段に記憶された所定情報に係るアプリケーションを動作させる動作要求を受けたときに動作要求に係るアプリケーションを動作させるので、ユーザが操作を行うことなく、所定情報に係るアプリケーションを動作させることが可能となる。
そして、車載機器からの動作要求に従って携帯端末にてアプリケーションが動作される際に、車載機器の処理手段が該アプリケーションの動作により得られた情報を取得して処理することで、携帯端末のアプリケーションと車載機器とが協働するようになる。
また、携帯端末にて動作されるアプリケーションとの協働処理が車載機器において終了したときに、携帯端末に所定情報の削除要求が送られるので、再度、携帯端末が車載機器に接続された際に該所定情報に係るアプリケーションが動作されるのを防ぐことが可能となる。
【発明の効果】
【００２５】
本発明に係る車載機器システムによれば、車載機器が該携帯端末にて実行されたアプリケーションが終了した際に記憶部に記憶された所定情報があるか否かを判定し、該携帯端末の記憶部に所定情報が記憶されているときに、所定情報に係るアプリケーションを動作させる動作要求を携帯端末に送ることで、ユーザが携帯端末を操作することなく、所定情報に係るアプリケーションを動作させるので、車載機器と携帯端末とが接続されたときに、より簡単な操作でユーザの要望に沿ったアプリケーションを携帯端末において実行することが可能となる。
【図面の簡単な説明】
【００２６】
【図１】本発明の第１の実施の形態に係る車載機器システムを構成する車載機器及び携帯端末（スマートフォン）を示すブロック図である。
【図２】図１に示すスマートフォンのナビゲーションアプリケーションの操作手順を示すフローチャートである。
【図３】図１に示すスマートフォンにホーム画面の一例が表示された図である。
【図４】図１に示すスマートフォンにナビゲーションアプリケーションの動作中の画面の一例が表示された図である。
【図５】図１に示すスマートフォンにユーザインターフェイス画面の一例が表示された図である。
【図６】図１に示す車載機器にスマートフォンが接続された際の処理手順が示されたフローチャートである。
【図７】図１に示す車載機器の表示部にユーザインターフェイス画面の一例が表示された図である。
【図８】図１に示す車載機器の表示部にスマートフォンのナビゲーションアプリケーションとの協働処理に係る画面が表示された図である。
【図９】本発明の第２の実施の形態に係る車載機器システムを構成する車載機器、携帯端末（スマートフォン）、及びパーソナルコンピュータを示すブロック図である。
【図１０】図９に示すスマートフォンのオーディオアプリケーションの操作手順を示すフローチャート図である。
【図１１】図9に示すスマートフォンにユーザインターフェイス画面の一例が表示された図である。
【図１２】図９に示す車載機器にスマートフォンが接続された際の処理手順が示されたフローチャートである。
【図１３】図９に示す車載機器の表示部にユーザインターフェイス画面の一例が表示された図である。
【図１４】図９に示す車載機器の表示部にスマートフォンのオーディオアプリケーションとの協働処理に係る画面の一例が表示された図である。
【図１５】図９に示すスマートフォンにユーザインターフェイス画面の一例が表示された図である。
【発明を実施するための形態】
【００２７】
以下、本発明の実施の形態について図面を用いて説明する。
【００２８】
本発明の第１の実施の形態に係る車載機器システムを構成する車載機器１００及びスマートフォン２０（携帯端末）は、図１に示すように構成される。
【００２９】
図１において、車載機器システムを構成する車載機器１００は、外部機器接続用のコネクタ１９を有している。このコネクタ１９を介してスマートフォン２０（携帯端末）と車載機器１００とが通信可能な状態で接続される。また、車載機器１００は、コンピュータユニット（例えば、ＣＰＵ）によって構成される処理ユニット１１を有している。処理ユニット１１には、各種音源及び映像源（例えば、ＣＤ及びＤＶＤ）の再生処理が可能なＡＶユニット１７、及び自車両の経路案内が可能なナビゲーションユニット１８が接続されている。また、処理ユニット１１には、スピーカ１６と接続される出力回路１５がセ地属されている。これによって、ＡＶユニット１７及びナビゲーションユニット１８による処理に係る音声信号を出力回路１５を介して、スピーカ１６から音声出力することが可能となっている。加えて、処理ユニット１１には、ＡＶユニット１７及びナビゲーションユニット１８による処理に利用する楽曲情報及び地図情報等の各種情報が記憶される記憶部１４（例えば、ハードディスク）と、ＬＣＤ等によって構成される各種処理に伴う映像等を表示する表示部１３と、表示部１３上にタッチパネル形式にて形成される各種処理に必要な指示が入力可能な操作部１２とが接続されている。
【００３０】
また、車載機器１００は、コネクタ１９によってスマートフォン２０（携帯端末）と接続されており、例えば、スマートフォン２０と接続されるコネクタ１９を介して通信が可能となっている。スマートフォン２０には、ナビゲーションアプリケーションの他、検索アプリケーション、音楽再生アプリケーション等の多くのアプリケーションが備えられている。
【００３１】
前述したようなナビゲーションアプリケーションを備えたスマートフォン２０では、図２に示すような手順にて処理がなされる。なお、スマートフォン２０は、不図示の処理ユニット及び不図示の記憶部を有している。以下、図２のフローチャートに沿って説明する。
【００３２】
ユーザは、図３に示すスマートフォン２０のホーム画面からナビゲーションアプリケーション（例えば、ＮａｖｉアプリＡ）を選択すると、図２に示す処理が開始される。まず、スマートフォン２０の不図示の処理ユニットは、ユーザによってナビゲーションアプリケーションの起動が選択されると、選択されたナビゲーションアプリケーションを起動させる（Ｓ１１）。そして、ナビゲーションアプリケーションが起動されると、起動されたナビゲーションアプリケーションに係る処理が終了するのを監視する（Ｓ１２）。そして、ナビゲーションアプリケーションが終了すると（Ｓ１２でＹＥＳ）、スマートフォン２０の不図示の処理ユニットは、目的地設定がなされたか否かを判定する（Ｓ１３）。具体的には、表示部に示された図４に示すような画面にて、ＮａｖｉアプリＡの動作中に目的地が設定されたか否か（所定の条件を満たしているか否か）を判定する。
【００３３】
これによって目的地設定がなされたと判定される（Ｓ１３でＹＥＳ）と、不図示の処理ユニットは目的地を不図示の記憶部に保存する（Ｓ１４）。そして、スマートフォン２０の処理ユニットは、ユーザインターフェイス画面をスマートフォン２０の表示部に表示させる（Ｓ１５：携帯端末側ユーザインターフェイス手段）。具体的には、スマートフォン２０が車載機器と接続されたときに、該実行されたナビゲーションアプリケーション（ＮａｖｉアプリＡ）を自動的に起動させるか否かの判定をさせるためのユーザインターフェイス画面（図５参照）を表示させる。これによって、スマートフォン２０の処理ユニットは、ユーザによってナビゲーションアプリケーション（ＮａｖｉアプリＡ）を自動起動することが選択されたか否かの判定を行う（Ｓ１６：携帯端末側ユーザインターフェイス手段）。そして、表示画面に形成された操作部１２の操作によって、スマートフォン２０が車載機器１００に接続されたときに、自動的にナビゲーションアプリを起動させることが選択される（Ｓ１６でＹＥＳ）と、スマートフォン２０の不図示の処理ユニットは、ナビゲーションアプリケーションを自動起動させるためのフラグ（所定情報）をＯＮ（不図示の記憶部に記憶）にし（Ｓ１７：所定情報記憶制御手段）、スマートフォン２０での処理を終了させる。
【００３４】
一方、ステップＳ１３にて目的地が設定されないままナビゲーションアプリケーション（ＮａｖｉアプリＡ）が終了した（Ｓ１３でＮＯ）と判定されたとき、及び、ステップＳ１６にてスマートフォン２０が車載機器１００に接続されたときに、自動的にナビゲーションアプリケーション（ＮａｖｉアプリＡ）を起動させないことがユーザによって選択された（Ｓ１６でＮＯ）ときに、スマートフォン２０の不図示の処理ユニットは、スマートフォン２０での処理を終了させる。
【００３５】
以上のような処理がスマートフォン２０においてなされた後、車載機器１００と接続されると、図６に示すような手順にて車載機器１００が処理を行う。以下に詳しく説明する。
【００３６】
図６において、車載機器１００の処理ユニット１１は、図２に示す処理がなされたスマートフォン２０の接続を確認する（Ｓ２１）。これによって、コネクタ１９を介してスマートフォン２０の接続が確認されると、処理ユニット１１は、スマートフォン２０の表示画面に表示されるホーム画面（図３参照）を取得し、表示部１３に表示させる（Ｓ２２）。そして、処理ユニット１１は、スマートフォン２０においてナビゲーションアプリケーション（ＮａｖｉアプリＡ）を自動的に起動させるフラグがＯＮ状態（所定情報が記憶されている状態）であるかの確認要求を行う（Ｓ２３）。そして、ステップＳ２３の確認要求に応じて取得された情報に基づいて、処理ユニット１１は、スマートフォン２０の不図示の記憶部にナビゲーションアプリケーション（ＮａｖｉアプリＡ）を自動的に起動させるフラグがＯＮ状態であるか否かを判定する（Ｓ２４：判定手段）。
【００３７】
これによって、スマートフォン２０において自動的にナビゲーションアプリケーション（ＮａｖｉアプリＡ）を起動させるフラグがＯＮ状態にある（Ｓ２４でＯＮ）ときに、処理ユニット１１は、スマートフォン２０に備えられたナビゲーションアプリケーション（ＮａｖｉアプリＡ）を動作させるべきか否かの選択をさせるための、ユーザインターフェイス画面を表示部１３に表示させる（Ｓ２５：車載機器側ユーザインターフェイス手段）。具体的には、図７に示すように、スマートフォン２０のナビゲーションアプリケーション（ＮａｖｉアプリＡ）を起動させ、ルート案内を開始させるか否かをユーザに選択可能に表示させる。そして、ユーザがユーザインターフェイス画面（図７参照）を視認し、表示部１３上に形成された操作部１２を操作することによって、ナビゲーションアプリケーション（ＮａｖｉアプリＡ）を自動立ち上げすることが選択される（Ｓ２６でＹＥＳ）と、処理ユニット１１は、ナビゲーションアプリケーション（ＮａｖｉアプリＡ）の動作要求をスマートフォン２０に送る（Ｓ２７：アプリ動作要求手段）。
【００３８】
そして処理ユニット１１は、スマートフォン２０において前述した動作要求（起動要求）に係るアプリケーションの動作（起動）を確認する（Ｓ２８）と、ナビゲーションアプリケーション（ＮａｖｉアプリＡ）との協働処理を開始する（Ｓ２９：処理手段）。具体的には、処理ユニット１１は、図８に示すように、スマートフォン２０の不図示の記憶部に記憶されている目的地情報を取得し、車載機器１００においてナビゲーション処理を開始する。これによって、スマートフォン２０と接続された車載機器１００において、ＮａｖｉアプリＡの動作による地図情報及び位置情報からなる画像を表示部１３により表示し、経路案内を行う。
【００３９】
そして処理ユニット１１は、スマートフォン２０にて動作しているアプリケーションとの協働処理が終了するのを監視し（Ｓ３０）、協働処理が終了したと判定する（Ｓ３０でＹＥＳ）と、スマートフォン２０に対して所定情報の削除要求を送る（Ｓ３１：所定情報削除要求手段）。具体的には、スマートフォン２０の不図示の記憶部に記憶されているナビゲーションアプリケーション（ＮａｖｉアプリＡ）を自動的に立ち上げるフラグをＯＦＦ状態にし、さらには、同じく記憶部に記憶されている目的地情報を削除させるための要求を行う。これによって車載機器１００における処理が終了する。
【００４０】
一方、ステップＳ２４において、スマートフォン２０にてフラグがＯＦＦの状態であるとき（Ｓ２４でＯＦＦ）、及びステップＳ２６において、ナビゲーションアプリケーション（ＮａｖｉアプリＡ）の立ち上げを行わないことがユーザによって選択された（Ｓ２６でＮＯ）ときにも、同じく、車載機器１００の処理は終了する。
【００４１】
前述したような本発明の第１の実施の形態に係る車載機器システムでは、スマートフォン２０のナビゲーションアプリケーション（ＮａｖｉアプリＡ）の処理によって、目的地の設定がなされると目的地情報を不図示の記憶部に記憶すると供に、スマートフォン２０を車載機器１００に接続する際に、ＮａｖｉアプリＡを自動的に起動させるか否かの選択画面をスマートフォン２０の表示画面に表示させ、ＮａｖｉアプリＡを自動的に起動させることが選択されるとＮａｖｉアプリＡを自動的に起動させるためのフラグをＯＮ状態にする（所定情報を記憶部に記憶させる）ので、車載機器１００とスマートフォン２０とが接続されたときにＮａｖｉアプリＡを起動させることができるようになる。もちろん、車載機器１００とスマートフォン２０とが接続されたときに、ユーザがＮａｖｉアプリＡの動作を望まないときは、ＮａｖｉアプリＡを自動起動させるフラグをＯＮ状態にしないで処理を終了できる。
【００４２】
また、車載機器１００においては、スマートフォン２０においてアプリケーション（ＮａｖｉアプリＡ）が終了した際に、ＮａｖｉアプリＡを自動起動させるフラグがＯＮ状態になっているか否か（所定情報が記憶部に記憶されているか否か）を判定し、スマートフォン２０にＮａｖｉアプリＡを自動起動させるフラグがＯＮ状態になっているときに、該ＮａｖｉアプリＡを動作させるべきか否かの選択をさせるためのユーザインターフェイス画面を表示部１３に表示させるので、よりユーザの要望に沿ったアプリケーションをスマートフォン２０にて動作させることが可能となる。そしてユーザによってＮａｖｉアプリＡを動作させることが選択されると、ＮａｖｉアプリＡの動作要求をスマートフォン２０に送るので、動作要求を受けたスマートフォン２０においてＮａｖｉアプリＡを動作させることができる。また、スマートフォン２０の不図示の記憶部に記憶された目的地情報を同時に取得し、該目的地情報を利用してＮａｖｉアプリＡの処理を行い、ＮａｖｉアプリＡの動作により得られた情報を基に車載機器１００は、スマートフォン２０と協働処理を行うので、表示部１３においてもＮａｖｉアプリＡに係る画像が表示できる。
【００４３】
なお、スマートフォン２０にてナビゲーションアプリケーション（ＮａｖｉアプリＡ）の動作によって目的地が設定されることを条件に、車載機器１００とスマートフォン２０とが接続されたときに、自動的にＮａｖｉアプリＡを起動させるためのフラグをＯＮ状態にするようにしたが、目的地の設定がなされなくとも、ＮａｖｉアプリＡの起動のみを条件として、そのフラグをＯＮ状態にするようにしてもよい。
【００４４】
また、スマートフォン２０にて対象となるアプリケーションは、ナビゲーションアプリケーションにかかわらず、どのようなアプリケーションであっても、アプリケーションごとの条件を設定し、その条件を満たすときに対象となるアプリケーションを自動的に起動させるためのフラグをＯＮ状態にするようにしてもよい。
【００４５】
次に第２の実施の形態に係る車載機器システムについて説明する。この車載機器システムは、図９に示すように構成される。なお、図９において、前述した第１の実施の形態に係る車載機器システムと同一の部分については同番号を付している。
【００４６】
図９において、車載機器システムを構成する車載機器１００及びスマートフォン２０は、前述した第１の実施の形態に係る車載機器システムと同一の構成である。よって、異なる点についてのみ詳しく説明する。まず、スマートフォン２０には、外部機器接続用のコネクタ２１を介してパーソナルコンピュータ２２が接続されている。これによって、パーソナルコンピュータ２２によって生成された情報がコネクタ２１を介してスマートフォン２０に通信されるようになっている。例えば、パーソナルコンピュータ２２では、ＣＤ及びＤＶＤ等からオーディオデータ（楽曲情報）を読み込み、これらの楽曲情報をスマートフォン２０に送信する。このようにすることで、パーソナルコンピュータ２２から送信された楽曲情報をスマートフォン２０の不図示の記憶部によって記憶し、該スマートフォン２０に備えられた音楽再生アプリケーションによって、記憶された楽曲情報を基に音声出力が可能となっている。
【００４７】
前述したような音楽再生アプリケーション（オーディオアプリケーション）を備えたスマートフォン２０では、図１０に示すような手順にて処理がなされる。なお、スマートフォン２０は、不図示の処理ユニット及び不図示の記憶部を有している。以下、図１０のフローチャートに沿って説明する。
【００４８】
ユーザは、図３に示すスマートフォン２０のホーム画面から音楽再生アプリケーション（例えば、音楽再生アプリＡＡ）を選択すると、図１０に示す処理が開始される。まず、スマートフォン２０の不図示の処理ユニットは、ユーザによって音楽再生アプリＡＡの起動が選択されると、選択された音楽再生アプリＡＡを起動させる（Ｓ４１）。そして、音楽再生アプリＡＡが起動されると、起動された音楽再生アプリＡＡに係る処理が終了するのを監視する（Ｓ４２）。そして、音楽再生アプリＡＡによる処理が終了すると（Ｓ４２でＹＥＳ）、スマートフォン２０の不図示の処理ユニットは、楽曲情報（オーディオデータ）を取得したか否か（所定の条件を満たしたか否か）を判定する（Ｓ４３）。
【００４９】
これによってオーディオデータ（楽曲情報）を取得したと判定される（Ｓ４３でＹＥＳ）と、不図示の処理ユニットは取得したオーディオデータを不図示の記憶部に保存する（Ｓ４４）。そして、スマートフォン２０の処理ユニットは、ユーザインターフェイス画面をスマートフォン２０の表示部に表示させる（Ｓ４５：携帯端末側ユーザインターフェイス手段）。具体的には、スマートフォン２０が車載機器と接続されたときに、該実行された音楽再生アプリＡＡを自動的に起動させるか否かの判定をするためのユーザインターフェイス画面（図１１参照）を表示させる。これによって、スマートフォン２０の処理ユニットは、ユーザによって音楽再生アプリＡＡを自動起動することが選択されたか否かの判定を行う（Ｓ４６：携帯端末側ユーザインターフェイス手段）。そして、表示画面に形成された操作部１２の操作によって、スマートフォン２０が車載機器１００に接続されたときに、自動的に音楽再生アプリＡＡを起動させることが選択される（Ｓ４６でＹＥＳ）と、スマートフォン２０の不図示の処理ユニットは、音楽再生アプリＡＡを自動起動させるためのフラグ（所定情報）をＯＮ（不図示の記憶部に記憶）にし（Ｓ４７：所定情報記憶手段）、スマートフォン２０での処理を終了させる。
【００５０】
一方、ステップＳ４３にて楽曲情報を取得できないまま音楽再生アプリＡＡが終了した（Ｓ４３でＮＯ）と判定されたとき、及び、ステップＳ４６にてスマートフォン２０が車載機器１００に接続されたときに、自動的に音楽再生アプリＡＡを起動させないことがユーザによって選択された（Ｓ４６でＮＯ）ときに、スマートフォン２０の不図示の処理ユニットは、スマートフォン２０での処理を終了させる。
【００５１】
以上のような処理がスマートフォン２０においてなされた後、車載機器１００と接続されると、図１２に示すような手順にて車載機器１００が処理を行う。以下に詳しく説明する。
【００５２】
図１２において、車載機器１００の処理ユニット１１は、図１０に示す処理がなされたスマートフォン２０の接続を確認する（Ｓ５１）。これによって、コネクタ１９を介してスマートフォン２０の接続が確認されると、処理ユニット１１は、スマートフォン２０の表示画面に表示されるホーム画面（図３参照）を取得し、表示部１３に表示させる（Ｓ５２）。そして、処理ユニット１１は、スマートフォン２０において音楽再生アプリケーション（音楽再生アプリＡＡ）を自動的に起動させるフラグがＯＮ状態（所定情報が記憶されている状態）であるかの確認要求を行う（Ｓ５３）。そして、ステップＳ５３の確認要求に応じて取得された情報に基づいて、処理ユニット１１は、スマートフォン２０の不図示の記憶部に音楽再生アプリＡＡを自動的に起動させるフラグがＯＮ状態であるか否かを判定する（Ｓ５４：判定手段）。
【００５３】
これによって、スマートフォン２０において自動的に音楽再生アプリＡＡを起動させるフラグがＯＮ状態にある（Ｓ５４でＯＮ）ときに、処理ユニット１１は、スマートフォン２０に備えられた音楽再生アプリＡＡを動作させるべきか否かの選択をさせるための、ユーザインターフェイス画面を表示部１３に表示させる（Ｓ５５：車載機器側ユーザインターフェイス手段）。具体的には、図１３に示すように、スマートフォン２０の音楽再生アプリＡＡを起動させ、音楽再生処理を開始させるか否かをユーザに選択可能に表示させる。そして、ユーザがユーザインターフェイス画面（図１３参照）を視認し、表示部１３上に形成された操作部１２を操作することによって、音楽再生アプリＡＡを自動立ち上げすることが選択される（Ｓ５６でＹＥＳ）と、処理ユニット１１は、音楽再生アプリＡＡの動作要求をスマートフォン２０に送る（Ｓ５７：アプリ動作要求手段）。
【００５４】
そして処理ユニット１１は、スマートフォン２０において前述した動作要求（起動要求）に係るアプリケーション（音楽再生アプリＡＡ）の動作（起動）を確認する（Ｓ５８）と、音楽再生アプリＡＡとの協働処理を開始する（Ｓ５９：処理手段）。具体的には、処理ユニット１１は、スマートフォン２０の不図示の記憶部に記憶されている楽曲情報を取得し、車載機器１００において音楽再生処理を開始する。これによって、スマートフォン２０と接続された車載機器１００において、音楽再生アプリＡＡの動作からなる画像を図１４に示すように表示部１３により表示し、出力回路１５を介してスピーカ１６から音声出力を行う。
【００５５】
そして処理ユニット１１は、スマートフォン２０にて動作しているアプリケーションとの協働処理が終了するのを監視し（Ｓ６０）、協働処理が終了したと判定する（Ｓ６０でＹＥＳ）と、スマートフォン２０に対して所定情報の削除要求を送る（Ｓ６１：所定情報削除要求手段）。具体的には、スマートフォン２０の不図示の記憶部に記憶されている音楽再生アプリＡＡを自動的に立ち上げるフラグをＯＦＦ状態にする要求を行う。これによって車載機器１００における処理が終了する。
【００５６】
一方、ステップＳ５４において、スマートフォン２０にてフラグがＯＦＦの状態であるとき（Ｓ５４でＯＦＦ）、及びステップＳ５６において、音楽再生アプリＡＡの立ち上げを行わないことがユーザによって選択された（Ｓ５６でＮＯ）ときにも、同じく、車載機器１００の処理は終了する。
【００５７】
前述したような本発明の第２の実施の形態に係る車載機器システムでは、スマートフォン２０の音楽再生アプリケーション（音楽再生アプリＡＡ）に対して、パーソナルコンピュータ２２から楽曲情報の供給がなされると楽曲情報を不図示の記憶部に記憶すると供に、スマートフォン２０を車載機器１００に接続する際に、音楽再生アプリＡＡを自動的に起動させるか否かの選択画面をスマートフォン２０の表示画面に表示させ、音楽再生アプリＡＡを自動的に起動させることが選択されると音楽再生アプリＡＡを自動的に起動させるためのフラグをＯＮ状態にする（所定情報を記憶部に記憶させる）ので、車載機器１００とスマートフォン２０とが接続されたときにＮａｖｉアプリＡを起動させることができるようになる。もちろん、車載機器１００とスマートフォン２０とが接続されたときに、ユーザが音楽再生アプリＡＡの動作を望まないときは、音楽再生アプリＡＡを自動起動させるフラグをＯＮ状態にしないで処理を終了できる。
【００５８】
また、車載機器１００においては、スマートフォン２０において音楽再生アプリＡＡが終了した際に、音楽再生アプリＡＡを自動起動させるフラグがＯＮ状態になっているか否か（所定情報が記憶部に記憶されているか否か）を判定し、スマートフォン２０に音楽再生アプリＡＡを自動起動させるフラグがＯＮ状態になっているときに、該音楽再生アプリＡＡを動作させるべきか否かの選択をさせるためのユーザインターフェイス画面を表示部１３に表示させるので、よりユーザの要望に沿ったアプリケーションをスマートフォン２０にて動作させることが可能となる。そしてユーザによって音楽再生アプリＡＡを動作させることが選択されると、音楽再生アプリＡＡの動作要求をスマートフォン２０に送るので、動作要求を受けたスマートフォン２０において音楽再生アプリＡＡを動作させることができる。また、スマートフォン２０の不図示の記憶部に記憶された楽曲情報を同時に取得し、該楽曲情報を利用して音楽再生アプリＡＡに処理を行わせ、音楽再生アプリＡＡの動作により得られた情報を基に車載機器１００は、スマートフォン２０と協働処理を行うので、出力回路１５を介して楽曲情報を基にした音声がスピーカから出力されるようになる。
【００５９】
なお、ステップＳ５５において、音楽再生アプリケーションＡＡの自動起動させるか否かの選択画面を図１５のように表示させるようにしてもよい。このようにすることで、例えば、音楽再生アプリＡＡが自動起動されるときに、スマートフォン２０にて表示された、もしくは、選択された楽曲を優先的に再生処理することが可能となる。
【００６０】
なお、スマートフォン２０が有線ではなく、無線にて車載機器１００に接続される構成とすることもできる。このように、有線及び無線にて車載機器１００とスマートフォン２０との接続が可能となれば、例えば、ステップＳ４６によって、対象となるアプリケーションを自動起動させることがユーザによって選択されたときに、どの接続方法（有線もしくは無線）にて車載機器と通信するかを選択するようにしてもよい。
【００６１】
更に、載機器１００に通信可能に接続される携帯端末は、スマートフォン２０に限られず、情報処理機能を備えた携帯電話、ＰＤＡ（Personal Digital Assistant）、ハンディパソコン等であってもよい。
【産業上の利用可能性】
【００６２】
以上、説明したように、本発明に係る車載機器システムは、車載機器と携帯端末とが接続されたときに、より簡単な操作でユーザの要望に沿ったアプリケーションを携帯端末において実行することが可能という効果を奏し、ＡＶ・ナビゲーション機器等の車載機器とスマートフォン等の携帯端末とが接続された構成となる車載機器システムと、その車載機器システムを構成する当該車載機器及び携帯端末として有用である。
【符号の説明】
【００６３】
１１  処理ユニット
１２  操作部
１３  表示部
１４  記憶部
１５  出力回路
１６  スピーカ
１７  ＡＶユニット
１８  ナビゲーションユニット
１９  ２１  コネクタ
２０  スマートフォン
２２  パーソナルコンピュータ
１００  車載機器
【図１】
0005626794.tif 000002
【図２】
0005626794.tif 000003
【図３】
0005626794.tif 000004
【図４】
0005626794.tif 000005
【図５】
0005626794.tif 000006
【図６】
0005626794.tif 000007
【図７】
0005626794.tif 000008
【図８】
0005626794.tif 000009
【図９】
0005626794.tif 000010
【図１０】
0005626794.tif 000011
【図１１】
0005626794.tif 000012
【図１２】
0005626794.tif 000013
【図１３】
0005626794.tif 000014
【図１４】
0005626794.tif 000015
【図１５】
0005626794.tif 000016